【手続補正書】
【提出日】平成27年12月17日(2015.12.17)
【手続補正１】
【補正対象書類名】特許請求の範囲
【補正対象項目名】請求項１２
【補正方法】変更
【補正の内容】
【請求項１２】
請求項１〜１１のうちのいずれか１項に記載の表示装置を製造する方法であって、
（ａ）前記配線部材が接続された前記表示部材上に、前記第１背面部材を配置する工程と、
（ｂ）前記配線部材の前記先端部を前記第１背面部材の前記差し込み部に差し込む工程と、
（ｃ）前記工程（ｂ）の後に、前記第２背面部材を前記第１背面部材の前記背面の側から、前記第１背面部材および前記配線部材を収容するように、装着する工程と
を備える、表示装置の製造方法。
【手続補正２】
【補正対象書類名】明細書
【補正対象項目名】００１７
【補正方法】変更
【補正の内容】
【００１７】
【図１】実施の形態１に係る表示装置を概説する分解斜視図である。
【図２】実施の形態１に係る表示装置を概説する分解側面図である。
【図３】実施の形態１に係る表示装置を概説する分解斜視図である。
【図４】実施の形態１に係る表示装置を概説する斜視図である。
【図５】実施の形態１に係る表示装置を概説する断面図である。
【図６】実施の形態１に係る表示装置を概説する断面図である。
【図７】比較例を示す断面図である。
【図８】実施の形態１に係る表示装置を概説する断面図である。
【図９】実施の形態２に係る表示装置を概説する斜視図である。
【図１０】実施の形態２に係る表示装置を概説する断面図である。
【図１１】実施の形態２に係る表示装置を概説する断面図である。
【図１２】実施の形態３に係る表示装置を概説する斜視図である。
【図１３】実施の形態３に係る表示装置を概説する側面図である。
【図１４】図１３中の１４−１４線における断面図である。
【図１５】図１３中の１５−１５線における断面図である。
【図１６】実施の形態３に係る表示装置を概説する側面図である。
【図１７】実施の形態４に係る表示装置を概説する断面図である。
【図１８】実施の形態４に係る配線部材を概説する平面図である。
【図１９】実施の形態４に係る表示装置を概説する断面図である。
【図２０】実施の形態５に係る表示装置を概説する分解斜視図である。
【図２１】実施の形態５に係る表示装置を概説する斜視図である。
【図２２】実施の形態５に係る表示装置を概説する断面図である。
【図２３】実施の形態５に係る表示装置を概説する断面図である。
【図２４】実施の形態５に係る表示装置を概説する斜視図である。
【図２５】実施の形態５に係る表示装置を概説する側面図である。
【図２６】図２５中の２６−２６線における断面図である。
【図２７】図２５中の２７−２７線における断面図である。
【図２８】実施の形態６に係る表示装置を概説する断面図である。
【図２９】実施の形態６に係る表示装置を概説する断面図である。
【手続補正３】
【補正対象書類名】明細書
【補正対象項目名】００２０
【補正方法】変更
【補正の内容】
【００２０】
液晶パネル１０２は、液晶の複屈折性を応用した表示パネルである。表示装置１００では、液晶パネル１０２の仕様は特に限定されるものではない。例えば液晶配向制御方式は、ＴＮ（Twisted Nematic）方式、ＩＰＳ（In-Plane-Switching）方式、ＶＡ（Vertical Alignment）方式、等のいずれであってもよい。
【手続補正４】
【補正対象書類名】明細書
【補正対象項目名】００２１
【補正方法】変更
【補正の内容】
【００２１】
液晶パネル１０２は、第１基板と第２基板とが貼り合わされた構造を有している。第１基板は、ガラス等の絶縁性基板上に、着色層、遮光層、対向電極、配向膜等が形成された構造を有している。第２基板は、ガラス等の絶縁性基板上に、スイッチング素子となる薄膜トランジスタ（Thin Film Transistor；以下、ＴＦＴとも称する）、画素電極等が形成された構造を有している。なお、ＩＰＳ方式等では、画素電極と対向電極の両方が第２基板に形成される。第１基板と第２基板とは、基板周囲に配置されたシール材によって貼り合わされている。第１基板と第２基板との間には、液晶が配置されていると共に、基板間隔を保持するためのスペーサが配置されている。真空注入法によって液晶を注入する場合、上記シール材は１箇所または複数箇所で途切れており、その途切れた部分が液晶の注入口を提供する。かかる注入口は、液晶の注入後、封止材によって封止される。なお、液晶滴下法によれば、シール材に途切れ部分は無く、よって注入口を塞ぐ封止材も不要である。第１基板と第２基板の外表面上に、偏光板が配置されている。
【手続補正５】
【補正対象書類名】明細書
【補正対象項目名】００３９
【補正方法】変更
【補正の内容】
【００３９】
配線部材１１４がバックライト装置１２２に差し込まれた状態は、一体化部材１２４の装着前に形成され、一体化部材１２４の装着後においても保持される。すなわち、配線部材１１４等が接続された状態の液晶パネル１０２上に、バックライト装置１２２を配置する工程を実行し、その後、配線部材１１４の先端部１１４ａをバックライト装置１２２の差し込み部１２２ｅに差し込む工程を実行する。かかる差し込み工程の後に、一体化部材１２４を、バックライト装置１２２の背面１２２ｃの側から、バックライト装置１２２および配線部材１１４を収容するように、装着する工程を実行する。配線部材１１４がバックライト装置１２２に差し込まれた状態は、一体化部材１２４の装着工程の後も保持される。これによれば、一体化部材１２４を装着する際に、配線部材１１４が一体化部材１２４に引っ掛かるのを防止することができる。
【手続補正６】
【補正対象書類名】明細書
【補正対象項目名】００４４
【補正方法】変更
【補正の内容】
【００４４】
図５および図６に例示されるように、バックライト装置１２２に設けられた差し込み部１２２ｅは、凹部１２２ｆと、庇部１２２ｇとで構成されている。凹部１２２ｆはバックライト装置１２２のモールドフレーム１２２ａ内に設けられており、側面１２２ｄにおける差し込み部分１２２ｅの開口に繋がっている。これにより、凹部１２２ｆは、配線部材１１４の先端部１１４ａを収容する空間を提供する。庇部１２２ｇは、凹部１２２ｆ上に張り出した部分であり、差し込み部１２２ｅの開口を形成する。すなわち、庇部１２２ｇによって凹部１２２ｆの開口は狭められており、そのような狭まった開口が差し込み部１２２ｅの開口になっている。
【手続補正７】
【補正対象書類名】明細書
【補正対象項目名】００４６
【補正方法】変更
【補正の内容】
【００４６】
差し込み部１２２ｅの開口の形状および大きさは、配線部材１１４の先端部１１４ａを差し込み可能であればよい。具体的には、差し込み部１２２ｅの開口幅は配線部材１１４の幅以上の寸法を有していればよく、差し込み部１２２ｅの開口高さは配線部材１１４の厚さ以上の寸法を有していればよい。ここで、差し込み部１２２ｅの開口幅は、配線部材１１４、バックライト装置１２２、等の配置位置のバラツキも考慮して設定されるのが、より好ましい。なお、差し込み部１２２ｅの開口幅および配線部材１１４の幅とは、液晶パネル１０２の背面１０２ｂに平行な方向の寸法を言うものとする。また、差し込み部１２２ｅの開口高さおよび配線部材１１４の厚さとは、液晶パネル１０２の背面１０２ｂの法線方向の寸法を言うものとする。
【手続補正８】
【補正対象書類名】明細書
【補正対象項目名】００４７
【補正方法】変更
【補正の内容】
【００４７】
図６の例では、差し込み部１２２ｅの開口は、配線部材１１４がバックライト装置１２２に差し込まれた状態において、配線部材１１４上のＩＣ１１６が差し込み部１２２ｅ内に出入り可能な形状および大きさを有している。これによれば、一体化部材１２４の装着時に仮に一体化部材１２４と配線部材１１４とが接触した場合であっても、ＩＣ１１６は差し込み部１２２ｅ内へ待避できる。その結果、ＩＣ１１６の損傷を防ぐことができる。かかる効果は、差し込み部１２２ｅの深さ（すなわち凹部１２２ｆの深さ）が、ＩＣ１１６の高さ以上の寸法を有することによって、より確実に得られる。
【手続補正９】
【補正対象書類名】明細書
【補正対象項目名】００５０
【補正方法】変更
【補正の内容】
【００５０】
＜実施の形態２＞
図９〜図１１に、実施の形態２に係る表示装置１００を概説する図面を示す。図９〜図１１には実施の形態２に係る表示装置１００の一部を抜き出して図示しており、図９は斜視図であり、図１０および図１１は断面図である。実施の形態２に係る表示装置１００では、バックライト装置１２２の差し込み部１２２ｅの構造が実施の形態１とは異なる一方、その他の構造および製造方法は実施の形態１と基本的に同様である。
【手続補正１０】
【補正対象書類名】明細書
【補正対象項目名】００５８
【補正方法】変更
【補正の内容】
【００５８】
＜実施の形態３＞
図１２〜図１５に、実施の形態３に係る表示装置１００を概説する図面を示す。図１２〜図１５には実施の形態３に係る表示装置１００の一部を抜き出して図示しており、図１２は斜視図であり、図１３は側面図であり、図１４および図１５は図１３中の１４−１４線および１５−１５線における断面図である。実施の形態３に係る表示装置１００では、バックライト装置１２２の差し込み部１２２ｅの構造が実施の形態１とは異なる一方、その他の構造および製造方法は実施の形態１と基本的に同様である。
【手続補正１１】
【補正対象書類名】明細書
【補正対象項目名】００６３
【補正方法】変更
【補正の内容】
【００６３】
＜実施の形態４＞
図１７および図１８に、実施の形態４に係る表示装置１００を概説する図面を示す。図１７および図１８には実施の形態４に係る表示装置１００の一部を抜き出して図示しており、図１７は断面図であり、図１８は平面図である。実施の形態４に係る表示装置１００では、バックライト装置１２２の差し込み部１２２ｅの構造および配線部材１１４の構造が実施の形態１とは異なる一方、その他の構造および製造方法は実施の形態１と基本的に同様である。